(57)【特許請求の範囲】
【請求項１】
原画像に基づく光ビームを照射することにより感光材料に複写画像を形成する露光部と前記光ビームの特性を変更するコントローラとを備えた画像形成装置において、
前記原画像はデジタルカメラによって取得された画像データを含み、
前記コントローラは、デジタルカメラの画像特性に基づいて作成されたカメラ特性補正用データを格納した複数のカメラデータテーブルと、
感光材料の発色特性に基づいて作成された感材特性補正用データを格納した複数の感材データテーブルと、
顧客やショップの好みに基づいて作成されオペレータによって任意に設定入力可能な任意補正用データを格納した複数の任意データテーブルを備えると共に、
前記原画像から得られる露光量データから前記デジタルカメラに対応する前記カメラデータテーブルにより調整したカメラ補正露光量データを生成し、前記カメラ補正露光量データから使用する前記感光材料に対応する前記感材データテーブルおよび前記顧客やショップの好みに対応した任意データテーブルにより調整した露光量データを生成し、当該露光量データに基づき特性が変更された光ビームにより露光が行われることを特徴とする画像形成装置。
【発明の詳細な説明】
【０００１】
【発明の属する技術分野】
本発明は、原画像に基づく光ビームを照射することにより感光材料に複写画像を形成する露光部と前記光ビームの特性を変更するコントローラとを備えた画像形成装置に関する。ここで言う原画像とは、光学カメラによって被写体を撮影した写真フィルムの各コマに形成された画像や、そのような写真フィルムをフィルムスキャナによって走査することで取得されたデジタル画像データとしての画像、デジタルカメラ等によって直接取得された被写体のデジタル画像データとしての画像、コンピュータグラフィックスソフトウエア等によってコンピュータ上に創作された画像などを意味している。また、その複写画像とは、前述した原画像を原稿として印画紙等の感光材料に作り出された画像を意味しており、代表的なものは写真プリントであり、写真プリントのような複写画像を形成する画像形成装置は一般にプリンタプロセッサと呼ばれており、ＤＰショップ等に設備されている。
【０００２】
【従来の技術】
従来の画像形成装置は、投影露光式と呼ばれ、露光部を構成する光源からの照明光を写真フィルムに照射し、写真フィルムを透過した透過光で印画紙を露光することで写真フィルムに撮像されている画像を印画紙に焼き付けており、この露光済みの印画紙を現像処理することで写真プリントを得ていた。複写画像としての写真プリントの色調整は光源の前にいくつかのフィルタを出し入れすることによって行うことができる。
【０００３】
最近、このような投影露光式の画像露光装置に代えて、フィルム画像を光電変換することで取得したデジタル画像データやデジタルカメラで直接取得されたデジタル画像データに適当な画像処理を施してプリントデータを生成し、このプリントデータに基づいてデジタル露光部が印画紙を露光する、いわゆるデジタル露光式の画像露光装置も登場している。デジタル露光部としては、光変調されたレーザビーム露光方式、液晶シャッター方式、ＣＲＴ露光方式、さらには蛍光ビーム露光方式など種々のものが採用されている。いずれにしても、このようなデジタル露光部は、ＲＧＢ各色の照射強度をデジタル画像データを構成する各ピクセルの各色の濃度値に合わせて調整し、印画紙を露光することによりドット潜像を形成するものであり、露光された印画紙は現像処理後に原画像の複写画像をもつことになる。得られる複写画像の色調整などは、上述したデジタル画像データの各色の濃度値を変更することにより行うことができる。このようなデジタル露光式では、原画像として、写真フィルムのコマ画像以外、デジタルカメラからの画像データや、コンピュータグラフィックソフトで作成された画像データなども扱うことができ、投影露光式の印画紙露光装置に比べ、扱うことができる原画像の範囲が大きく広がっている。
【０００４】
いずれにしても、このような原画像から複写画像を作り出す画像形成装置では、画像の見た目の再現性、カラー画像では色の再現性などが重要であるので、良好な再現性を有する複写画像を作り出せるように調整されている。ところが、画像形成装置が上述のように調整された状態で複写画像を作り出しても、標準的な再現性では顧客が必ずしも満足しない場合もある。このような場合に対処しようとすると、従来では、オペレータが各画像に対してマニュアル操作によっての露光条件を修正し、所望の複写画像が得られるように調整する必要があった。
【０００５】
【発明が解決しようとする課題】
従って、オペレータが顧客の細かな要求に応えて上述のような各画像毎の調整作業を行おうとすると、その作業負担が大きくなってコストアップにつながり、このコストアップを避けようとすると上述のような顧客の要望に応えられないという不都合があった。
上記実状に鑑み、本発明の課題は、種々の感覚をもった人々のそれぞれにできるだけ満足できるような複写画像を簡単に作り出せる画像形成装置を提供することである。
【０００６】
【課題を解決するための手段】
原画像に基づく光ビームを照射することにより感光材料に複写画像を形成する露光部と前記光ビームの特性を変更するコントローラとを備えた画像形成装置において、上記課題を解決するため、本発明では、前記原画像はデジタルカメラによって取得された画像データを含み、前記コントローラは、デジタルカメラの画像特性に基づいて作成されたカメラ特性補正用データを格納した複数のカメラデータテーブルと、感光材料の発色特性に基づいて作成された感材特性補正用データを格納した複数の感材データテーブルと、顧客やショップの好みに基づいて作成されオペレータによって任意に設定入力可能な任意補正用データを格納した複数の任意データテーブルを備えると共に、前記原画像から得られる露光量データから前記デジタルカメラに対応する前記カメラデータテーブルにより調整したカメラ補正露光量データを生成し、前記カメラ補正露光量データから使用する前記感光材料に対応する前記感材データテーブルおよび前記顧客やショップの好みに対応した任意データテーブルにより調整した露光量データを生成し、当該露光量データに基づき特性が変更された光ビームにより露光が行われる。
この構成では、顧客やショップの画像好みに基づいて作成されてオペレータにより設定入力可能な任意補正用データを格納できる任意データテーブルが準備されているので、プリント注文を依頼した顧客が所定の好みの画像特性を要望している場合はそれに合った任意データテーブルを選択することにより基準画像から好みだけずれた所望の画像に補正すること、あるいは顧客に特別な要望がなくともこのショップが他のショップとの差別化を図るための独自の好みの画像特性を持っている場合、その要望に合った任意データテーブルを選択することによりショップ独自の画像に補正することが可能となる。ここで、好みの画像特性とは、色調やシャープネスである。
【０００７】
このように顧客の要望に応えたり、ショップの独自性を出すについて、一旦任意データテーブルを設定しておけば、あとは必要に応じて任意データテーブルを選択するだけの作業を行うだけで済ませることができるので、オペレータの作業負担が小さくコストアップを抑制することができる。もって、種々の感覚をもった人々のそれぞれにできるだけ満足できるような複写画像を簡単に作り出せる画像形成装置を提供できるに至った。
【０００８】
尚、上述ような画像特性の変更のためには従来の露光処理技術が利用され、例えば、色調の補正は、デジタル露光方式の画像形成装置では、デジタル画像データを構成する各ピクセルの各色の濃度値を、任意データテーブルに格納されている任意補正用データで変更する。このため、各データテーブルは好ましくはＬＵＴ（ルックアップテーブル）の形でメモリ空間に構築されている。これに対し、投影露光方式の画像形成装置では、任意データテーブルに格納されている任意補正用データは、例えば光源からの光ビーム路程中に出し入れされる調光フィルタの制御量を変更するように機能する。
【００１０】
原画像から複写画像を作り出す画像形成装置では、上述のように、画像の見た目の再現性、カラー画像では色の再現性などが重要であるので、複写画像を作り出すベースとしての感光材料の感光特性にも注意は払わなければならない。なぜなら、印画紙に代表される感光材料の感光特性等の諸性質は、その種類、製造メーカによってかなり異なっており、高品質の複写画像を得るためには、使用する感光材料の特性に合わせて色補正を行わなくてはならない。一般的なＤＰショップなどでは、複数種類の印画紙を利用するので、異なる種類の印画紙に交換するごとに、その感光特性に合わせた色補正の設定を行う必要がある。そこで、適宜感材データテーブルを使用して良好な標準的プリント画像を得られるように調整した上で、上記の任意データテーブルを適宜使用して好みに応じた画像が得られるようにすることで、的確に望み通りのプリント画像が得られることになる。
【００１１】
又、上述のように複数の感光材料に対応し、しかも、顧客の好み等に対応して露光条件を設定できるようにする場合、これらの全ての組み合わせについて予め露光条件設定用のデータを作製したのではそのデータが膨大となってその作製に膨大な費用と時間がかかってしまうのに対し、上記のように感材データテーブルと任意データテーブルを適宜組み合わせて補正できるようにすることで、データ量を抑制することができる。尚、感光材料の発色特性は、感光材料が入射光に対してどの程度反応するかについての感光特性と、露光された感光材料が現像処理材によってどの程度の濃度の色を出すかの現像発色特性とによって決定されるので、感材データテーブルの感材特性補正用データを設定するについては、現像処理材を１種類に固定して使用する場合は感光材料の種類のみを考慮するだけで良く、現像処理材を複数種類使用し且つ現像処理材間で現像発色特性が異なる場合は感光材料と現像処理材との組み合わせを考慮して設定する必要がある。
【００１２】
更に、デジタルカメラでは、光電変換されて取得された被写体の画像データに対して機種間でかなり異なる画像処理を施しているので、機種間によって発色がかなり異なることになる。このため、本発明の画像形成装置では、画像データを作り出したデジタルカメラの色調特性をカメラデータテーブルに格納されたカメラ特性補正用データによって基準化した後、つまりデジタルカメラのもつ色調の個性を失わせた後、その基準化された画像データに対して、感材データテーブルや任意データテーブルによる補正をするので、最終的に得られる複写画像は顧客やショップの要望に合ったものとなる。
【００１３】
本発明の好適な実施形態として、前記コントローラが前記画像データが有する属性データからデジタルカメラの機種を決定するとともに対応するカメラデータテーブルを選択するように構成されているならば、画像データを取り込むにともなって、自動的にカメラデータテーブルが設定されるので、オペレータの負担が減じられる。
【００１４】
同様なデータテーブル選択の自動化の目的のためには、前記感光材料を格納するマガジンには感光材料の種類を示すＩＤコードが付与されており、このＩＤコードの読取信号に基づいて前記コントローラは適切な感材データテーブルを選択するような画像形成装置も提案される。また、注文受付機から送られた注文情報に含まれている顧客コードに基づいて前記コントローラが適切な任意データテーブルを選択することで、顧客の好む画像特性をもった複写画像を確実に提供することができる。
本発明によるその他の特徴及び利点は、以下図面を用いた実施例の説明により明らかになるだろう。
【００１５】
【発明の実施の形態】
本発明による画像形成装置の実施形態の１つとして投影露光とデジタル露光が両方が可能なプリンタプロセッサの外観斜視図とブロック図がそれぞれ図１と図２に示されている。このプリンタプロセッサには、パネルコンピュータによって構築された受付機２０が接続されている。この受付機２０は顧客からのプリント注文を受けて、タッチパネル上に表示されたソフトウエアキーボードを用いながら顧客コードやプリントサイズ、プリント枚数などからなる注文情報を作成する機能だけではなく、原画像としてのＣＧ画像データやデジタルカメラの撮像画像データを格納している各種記憶メディアから画像データを取り出す画像入力部２０ａを備えており、入力された画像データをプリンタプロセッサのコントローラ１０に伝送する機能も有する。もちろん、この受付機２０の機能をプリンタプロセッサのコントローラ１０に持たせても良い。
【００１６】
このプリンタプロセッサは、プリントサイズに合わせてペーパーカッター１２によってカットされた感光材料の一例である印画紙２に対して画像を焼き付ける露光エリア１３と、この露光エリア１３で露光された印画紙２を現像する現像処理部６、写真用フィルム（以下、単にフィルムと言う。）１を搬送するフィルム搬送機構８と、印画紙２を印画紙マガジン１１から露光エリア１３及び現像処理部６を経て仕上がりプリント（複写画像）として横送りコンベヤ７へ搬送する印画紙搬送機構９と、横送りコンベヤ７から送り込まれる印画紙２をオーダ単位で区分けするソータ１４とを備え、これらの各部の制御や各種機能の実現はコントローラ１０によってなされる。コントローラ１０には、画像や文字を表示させるＣＲＴや液晶ディスプレイによって構成されるモニタ１０ａ及び各種の情報入力を行うためのキーボードを備えた操作卓１０ｂが付帯している。
【００１７】
前述した露光エリア１３には、共通の露光ポイントで、フィルム１のコマ画像を印画紙２に投影して印画紙２に画像を焼き付ける投影露光部４と、フィルム１のコマ画像をデジタル画像データとして取得するフィルムスキャナー３から送られた画像データや画像入力部２０ａを通じて入力されたデジタル画像データに基づいて制御された光ビームによって印画紙２に画像を焼き付けるデジタル露光部５とが備えられている。
【００１８】
印画紙２は、印画紙マガジン１１にロール状態で収納されており、印画紙マガジン１１には収納されている印画紙２の種類を示す印画紙ＩＤコード１１ａが取り付けられていおり、印画紙マガジン１１が所定位置に装着された際に、この印画紙ＩＤコード１１ａがＩＤコードリーダ１１ｂに読み取られ、その読み取り信号がコントローラ１０に送られる。
【００１９】
印画紙２に対する比較的短い露光時間と長い現像時間を考慮して、このプリンタプロセッサの印画紙搬送機構９は、露光エリア１３までは１列の印画紙搬送ラインで、現像処理部６からは２列の印画紙搬送ラインを形成している。このため、露光エリア１３と現像処理部６との間には、スイッチバック式振り分け装置９ａと２列に振り分けられた印画紙２を２列状態で搬送しながら、適切なタイミングで現像処理部６に送り込む中間搬送部９ｂが備えられている。
【００２０】
このスイッチバック式振り分け装置９ａは、送られてきた印画紙２を一旦通過させてその印画紙２の後端を挟持し、そのままＸ（水平方向）−Ｙ（上下方向）移動することで中間搬送部９ｂが作り出している２列のストレージ可能な印画紙搬送ラインに交互に引き渡される。
【００２１】
以下、各構成要素について説明する。
フィルムスキャナ３は、発生させた光ビームの色分布や強度分布を整えてフィルム１を照射する照明光学系３ａと、フィルム１からの透過光ビームを光学的に処理する撮像光学系３ｂと、撮像光学系３ｂによって導かれた光ビームをスリット画像としての電荷画像に光電変換する光電変換部３ｃから構成されている。光電変換部３ｃで取得された原画像としてのフィルム１のコマ画像の各画素信号は所定のビット数（例えば１２ビット）のデジタル信号に変換してデジタル画像データとしてコントローラ１０へ送られる。
【００２２】
露光部の１つである投影露光部４は照明光学系４ａと露光光学系４ｂから構成されており、照明光学系４ａは、露光用光源、露光用光路に黄、マゼンタ、シアンの各フィルタが出退することにより露光用光源４１からの照射光の色バランスを調整する調光フィルタ４０ａと、調光フィルタ４０ａにて色バランスを調整した光を均一に混色するミラートンネルなどを備え、露光光学系４ｂは、焼付対象となるコマ画像からの透過像を印画紙２上に結像する焼付用レンズユニット、シャッタなどを備えている。
【００２３】
もう１つの露光部であるデジタル露光部５は、ライン露光型光プリントヘッド５ａとこの光プリントヘッド５ａを印画紙２の搬送方向である副走査方向に移動させる副走査機構５ｂから構成されている。この光プリントヘッド５ａは、ここでは蛍光体発光方式を用いており、赤色露光を行う真空蛍光素子で構成された赤色プリントヘッドと緑色露光を行う真空蛍光素子で構成された緑色プリントヘッドと青色露光を行う真空蛍光素子で構成された青色プリントヘッドからなる。各色のプリントヘッドの真空蛍光素子は印画紙２の幅に対応する長さをもつように主走査方向（印画紙２の幅方向）にリニアアレイ化されている。光プリントヘッド５ａとしては、蛍光体発光方式以外に液晶シャッター方式、ＰＬＺＴシャッター方式、ＦＯＣＲＴ方式、ＤＭＤ（デジタルマイクロミラーデバイス）方式などが知られており、設計時に露光仕様に応じて選択することができる。副走査機構５ｂは、光プリントヘッド５ａを支持する移動台車や、この移動台車を移動させる移動機構などを備えている。光プリントヘッド５ａはコントローラ１０と接続されており、コントローラ１０による各真空蛍光素子の点灯制御及び副走査機構５ｂを介して光プリントヘッド５ａを副走査方向に移動させることにより画像データや文字データが印画紙２にカラー露光される。
【００２４】
図３に示すように、コントローラ１０は、ＣＰＵ、ＲＯＭ、ＲＡＭ、Ｉ／Ｏインタフェース回路などからなるマイクロコンピュータシステムを中核部材として構成され、このプリンタプロセッサに必要な各種機能をハードウエア又はソフトウエア或いはその両方で実現させている。このコントローラ１０には、フィルム搬送制御部、スキャナ制御部、印画紙搬送制御部といった各種部材の動作制御を行う機能が構築されているとともに、デジタル露光部５によって印画紙２に複写画像を形成するために用いられ画像データの各種処理を行い、最終的に印画紙２に照射される光ビームの特性を制御することになる画像処理ユニット３０も構築されている。また、前述したＩＤコードリーダ１１ｂからの読取信号に基づいて装填されている印画紙２の種類を決定する印画紙種類決定部６１や受付機２０から送られてきたデジタルカメラの画像データに付随している属性データからそのデジタルカメラの機種を決定するカメラ機種決定部６２、さらに受付機２０から送られてきた注文情報（顧客コード、プリントサイズ、プリント枚数など）を管理格納する注文情報管理部６３も構築されている。なお、デジタルカメラの画像データに機種を判別するような属性データがない場合は、受付機２０において顧客から聞き取った機種を属性データとして対応する画像データに組み込んでコントローラ１０に送られる。
【００２５】
画像処理ユニット３０には、受付機２０から送られた画像データやフィルムスキャナ３から送られた画像データを一時的に格納するワーキングメモリ３１、このワーキングメモリ３１に格納されている１つの原画像に対応する画像データに対して変倍・回転・ノイズ除去などの基本的な画像処理を行う前処理部３２及びデジタルカメラの露出やホワイトバランスの誤差補正としてレベル補正等を行う一次処理部３３、そしてＬＵＴ（ルックアップテーブル）の形で構築された各種データテーブル３５（以下、このデータテーブルを「プロファイル」と称する）を利用して色味など所望の画像特性を得るようなカラーマッチング処理を行う二次処理部３４が備えられている。
【００２６】
プロファイル３５としては、カメラデータテーブル３５ａ（以下、「カメラプロファイル３５ａ」と称する）、感材データテーブル３５ｂ（以下、「感材プロファイル３５ｂ」と称する）、任意データテーブル３５ｃ（以下、「好みプロファイル３５ｃ」と称する）が用意されている。カメラプロファイル３５ａは、デジタルカメラが有するそれぞれ独自のカラー記録特性といった特徴をうち消すための補正を行うためのもので、例えば、赤みが強くでる特性をもっているデジタルカメラに対してはＲＧＢ値のうちＲ値が少し減じられる補正が行われるようなカメラ特性補正用データが格納されている。つまり、このカメラプロファイル３５ａを利用して画像データを補正すると基準的なカラーバランスを持つようになり、補正後の画像データのＲＧＢ値は利用したデジタルカメラの種類にかかわらず被写体と撮影環境が同じであれば実質的に同じとなるように、デジタルカメラの機種毎にこのカメラプロファイル３５ａが実験結果に基づいて作成されている。
【００２７】
印画紙２は製造メーカやその種類によっても感光特性が微妙に異なっているので、同じ画像データを用いても印画紙の種類によって異なった色合いになってしまう。感材プロファイル３５ｂは、そのような不都合を取り除くためのもので、どの印画紙２を使っても基準となる感光特性をもった印画紙を使った場合に得られる色合いとなるように、画像データを変更するための感材特性補正用データを印画紙２の種類毎に用意している。
【００２８】
所定の基本的な画像処理を施した画像データに対して上述したカメラプロファイル３５ａや感材プロファイル３５ｂを用いて補正を行うと、恣意的に付け加えられた特徴のない基準的な画像データが、理想的には被写体の色を再現するような画像データが得られるのであるが、必ずしもそのような基準的な色合いなどをもつ複写画像が喜ばれるとは限らない。例えば、顧客によって、実際より鮮やかな色合い或いは渋めの色合いが好まれたり、輪郭が強調された画像が好まれたりする。また、ＤＰショップによっても、他店との差別化のために何通りかのより特徴的な画像特性を望む場合もある。
【００２９】
好みプロファイル３５ｃは、そのような顧客やショップの要望に応えるための補正を行うものであり、所定の特徴的な複写画像を作り出すために必要な画像データ補正を行うための任意補正用データを格納している。この好みプロファイル３５ｃはその要望別に数多く作成されるので、これらの好みプロファイル３５ｃを管理するプロファイル管理部３６も備えられている。新たな好みプロファイル３５ｃを作成する際には、基準的な画像をモニタ１０ａに出しながら、操作卓１０ｂを通じて種々の画像処理を行って所望の特徴的な画像を作り出し、この特徴的な画像を標準的な画像から作り出すために必要な画像データの補正を求め、この補正を新しい好みプロファイル３５ｃとしてプロファイル管理部３６に登録する。他の２つのプロファイル３５ａ，３５ｂも同様であるが、必要でなくなったプロファイルを消去したり、フロッピー等を通じて新規のプロファイルを登録することも可能である。
【００３０】
デジタル露光部５によって露光する場合、二次処理部３４では、先ず、フィルムスキャナ３から入力されたデジタル画像データ又は受付機２０から送られてきたデジタル画像データを、光プリントヘッド５ａにて露光する各画素毎の露光量データに変換する演算処理を行う。この演算処理に使用される各パラメータは、基準の印画紙２に光プリントヘッド５ａにて露光したときに、標準的なプリント画像が得られるように予め実験的に求められて記憶されている。この後、上記各プロファイル３５の何れかを使用する旨の指示があれば、上記露光量データを指示されたプロファイル３５に入力して、それの出力を露光量データとして光プリントヘッド５ａを露光制御する。そして、指示されたプロファイル３５が複数の場合は、あるプロファイル３５の出力が他のプロファイル３５の入力となるようにプロファイル３５をリンクさせて露光量データを求める。
尚、各プロファイル３５によるデータの補正は、光プリントヘッド５ａによる露光量データに変換する前の画像データに対して行うようにしても良い。
【００３１】
画像処理ユニット３０での処理を終えた露光量データはデジタル露光制御部５０に送られ、この露光量データにより調整された光ビームが光プリントヘッド５ｂの各素子から照射され、印画紙２に相応な濃度をもつドットを形成していくことで所望の複写画像を作り出す。
【００３２】
投影露光制御部４０は、投影露光時に、それ自体公知な方法で露光条件を演算し、その演算結果に基づいて調光フィルタ４０ａやシャッタなどの光学系を制御することで、フィルム１を通過して印画紙２に達する光ビームを調整し、印画紙２を露光する。
【００３３】
次に、顧客：Ａがデジタルカメラ：Ｘによって取得した撮影画像データを上述したプリンタプロセッサを設備したＤＰショップで写真プリントを注文するケースでの、プリント処理の手順を図４を用いて説明する。
【００３４】
被写体を撮影して得られた原画像としての画像データは属性データとともにフラッシュメモリに格納されている。撮影者であるＡ氏は、ＤＰショップでこのフラッシュメモリを提示するとともに注文書に顧客名を含む注文情報を書き込み、複写画像としてのプリントを依頼する。ＤＰショップでは受付機２０を用いて注文情報を作成するとともに、預かったフラッシュメモリを画像入力部２０ａにセットして属性データを含む画像データを取り出し、これらをプリンタプロセッサのコントローラ１０に送る。
【００３５】
コントローラ１０において、注文情報は注文情報管理部６３によって処理され、例えばこのオーダの顧客名が”Ａ”であることが把握される。さらに、画像データに付随していた属性データからカメラ機種決定部６２は処理対象となる画像データを作り出したデジタルカメラの機種が”Ｘ”であることを決定する。同時に、この画像データは画像処理ユニット３０に送られ、前述したようにまず前処理部３２と一次処理部３３で必要な画像処理をうける。さらに、二次処理部３５での画像処理にあたっては、カメラ機種決定部６２で決定された機種に基づいて機種：Ｘのためのカメラプロファイル３５ａが選択され、このカメラプロファイル３５ａを用いた画像データの補正が行われる。同様に、印画紙種類決定部６１によってＩＤコードリーダ１１ｂの読取信号から決定された印画紙種類”Ｍ”のための感材プロファイル３５ｂが選択され、この感材プロファイル３５ｂを用いた画像データの補正が行われる。
【００３６】
さらに、このプリントの注文主である顧客：Ａは、既に独自に希望する色合いを登録しているので、プロファイル管理部３６が先に把握されている顧客名”Ａ”のための好みプロファイル３５ｃを選択し、二次処理部３４はこの選択された好みプロファイル３５ｃを用いた画像データの補正も行う。これらの画像処理によって最終的に得られた画像データは、露光量データとしてデジタル露光制御部５０に送られる。その結果、光プリントヘッド５ａによって印画紙２に露光され、現像処理部６による現像処理を経て得られたプリントは顧客：Ａの希望する色合いをもった画像をもつことになる。
【００３７】
なお、ここでは図示されていないが、このコントローラからアクセス可能な顧客管理データベースが備えられており、その顧客管理データベースには、顧客コードをキーとして種々の顧客データとともに、前述した顧客別好みプロファイルも格納されており、特定顧客の好みプロファイルの検索抽出や、新規登録、修正登録が簡単に行うことができる。また、顧客の希望による、複数の好みプロファイルを登録しておき、オーダ毎或いはコマ画像毎に異なる好みプロファイルを割り当てることも可能である。
【００３８】
上述した実施の形態では、デジタル露光部５を用いた露光方式に対して種々の補正プロファイルによる複写画像の調整を行っていたが、調光フィルタ４０ａの操作に連係した同様な補正プロファイルを作成し、このプロファイルを投影露光制御部４０が利用して調光フィルタ４０ａの動作を調整することで、投影露光部４を用いた投影露光方式に対しても本発明の複写画像の調整に実現は可能である。
【図面の簡単な説明】
【図１】本発明による画像形成装置を採用したプリンタプロセッサの外観斜視図
【図２】図１によるプリンタプロセッサのブロック図
【図３】プリンタプロセッサのコントローラが作り出す機能を説明する機能ブロック図
【図４】プロファイルを用いた画像データの処理過程を示す説明図
【符号の説明】
２    印画紙（感光材料）
４    投影露光部（露光部）
５    デジタル露光部（露光部）
５ａ  光プリントヘッド
６    現像処理部
１０    コントローラ
２０    受付機
３０    画像処理ユニット
３２    前処理部
３３    一次処理部
３４    二次処理部
３５    データテーブル
３５ａ  カメラデータテーブル
３５ｂ  感材データテーブル
３５ｃ  任意データテーブル
３６    プロファイル管理部
４０    投影露光制御部
４０ａ  調光フィルタ
５０    デジタル露光制御部
６１    印画紙種類決定部
６２    カメラ機種決定部
６３    注文情報管理部
【図１】
0004022798.tif 000002
【図２】
0004022798.tif 000003
【図３】
0004022798.tif 000004
【図４】
0004022798.tif 000005